(57)【要約】【課題】ユーザーの嗜好情報を基に電源やチャンネルを制御する技術を提供する。【解決手段】キーワードを登録する登録手段と、サーバーにこのキーワードを送信する送信手段と、このサーバーから前記キーワードに基づいた制御情報を受信する受信手段と、この制御情報に基づいて電源オンまたはチャンネル切り替えまたは電源オフを行う制御手段とを備えた映像表示装置。また、映像表示装置からキーワードを受信する受信手段と、前記キーワードに該当する番組を検索する検索手段と、前記番組の放送時間を抽出する抽出手段と、この放送時間に基いて前記表示装置に電源オンまたはチャンネル切り替えまたは電源オフの制御情報を送信する送信手段とを備えたサーバー。【選択図】  図５
2014150394.tif 000002
【特許請求の範囲】
【請求項１】
キーワードを登録する登録手段と、
サーバーにこのキーワードを送信する送信手段と、
このサーバーから前記キーワードに基づいた制御情報を受信する受信手段と、
この制御情報に基づいて電源オンまたはチャンネル切り替えまたは電源オフを行う制御手段とを
備えた映像表示装置。
【請求項２】
前記電源オンまたはチャンネル切り替えは、前記キーワードにマッチした番組の実放送時間の直前に行われる請求項１に記載の映像表示装置。
【請求項３】
前記電源オフは、前記キーワードにマッチした番組の実放送時間の終了時点に行われる請求項１に記載の映像表示装置。
【請求項４】
映像表示装置からキーワードを受信する受信手段と、
前記キーワードに該当する番組を検索する検索手段と、
前記番組の放送時間を抽出する抽出手段と、
この放送時間に基いて前記表示装置に電源オンまたはチャンネル切り替えまたは電源オフの制御情報を送信する送信手段とを
備えたサーバー。
【請求項５】
前記電源オンまたはチャンネル切り替えの制御情報の送信は、前記キーワードに該当する番組の実放送時間の直前に行われる請求項４に記載のサーバー。
【請求項６】
前記電源オフの制御情報の送信は、前記キーワードに該当する番組の実放送時間の終了時点に行われる請求項４に記載のサーバー。
【請求項７】
キーワードを登録する登録工程と、
サーバーにこのキーワードを送信する送信工程と、
このサーバーから前記キーワードに基づいた制御情報を受信する受信工程と、
この制御情報に基づいて電源オンまたはチャンネル切り替えまたは電源オフを行う制御工程とを
含んだ映像表示方法。
【請求項８】
前記電源オンまたはチャンネル切り替えは、前記キーワードにマッチした番組の実放送時間の直前に行われる請求項７に記載の映像表示方法。
【請求項９】
前記電源オフは、前記キーワードにマッチした番組の実放送時間の終了時点に行われる請求項７に記載の映像表示方法。
【発明の詳細な説明】
【技術分野】
【０００１】
本発明の実施形態は、映像表示装置、サーバー及び映像表示方法に関する。
【背景技術】
【０００２】
ユーザーの嗜好を配慮した映像表示装置の工夫が成されてきている。例えば、受信装置に関し、デジタル衛星放送による受信装置に適用して、多チャンネルにより多くの番組が放送される場合等であっても、番組選択の負担を軽減することができるようにするというものがある。
【０００３】
また、放送および汎用ネットワークを介して提供される映像をジャンルごとにシームレスにチャンネル選択できるようにし、ユーザーの便宜を向上させた映像表示装置、映像信号出力装置、および映像表示装置のチャンネル選択方法を提供するというものもある。
【０００４】
また映像表示装置の起動方法の工夫も成されている。例えば、双方向通信インターフェースを用いて接続された機器との間で、録画再生装置や映像表示装置の安定な起動が可能な録画再生装置、映像表示装置及びネットワーク上の機器の起動システム及び起動方法を提供するというものもある。
【０００５】
しかしながら更に、ユーザーの嗜好情報を基に電源やチャンネルを制御する映像表示装置への要望があるが、かかる要望を実現するための手段は知られていない。
【先行技術文献】
【特許文献】
【０００６】
【特許文献１】特開２００９−１１２０２５号公報
【特許文献２】特開２００６−１８６９２２号公報
【特許文献３】特開２０１２−０８０２５４号公報
【発明の概要】
【発明が解決しようとする課題】
【０００７】
本発明の実施の形態は、ユーザーの嗜好情報を基に電源やチャンネルを制御する技術を提供することを目的とする。
【課題を解決するための手段】
【０００８】
上記課題を解決するために、実施形態によれば映像表示装置は、キーワードを登録する登録手段と、サーバーにこのキーワードを送信する送信手段と、このサーバーから前記キーワードに基づいた制御情報を受信する受信手段と、この制御情報に基づいて電源オンまたはチャンネル切り替えまたは電源オフを行う制御手段とを備える。
【図面の簡単な説明】
【０００９】
【図１】実施形態に係わる情報記録再生装置内の詳細な構成を示すブロック図。
【図２】実施形態に係わる情報処理装置（サーバー）のシステム構成を示す図。
【図３】この発明の一実施形態の装置（システム）を示す概略構成図。
【図４】同実施形態の映像表示装置からキーワード入力を行う画面を示す図。
【図５】同実施形態のキーワード検索サーバーで管理されるホスト情報を説明するために示す図。
【図６】同実施形態のサーバー側での検索・登録処理のフローチャート。
【図７】同実施形態に用いられるサーバー内の処理を説明するのに用いる番組表を示す図。
【図８】同実施形態の各番組毎に、制御情報通知リスト、および、それらの情報を用いたサーバー処理の流れ図。
【図９】実施形態の映像表示装置の番組視聴処理のフローチャート。
【図１０】実施形態の映像表示装置からポップアップ入力を行う画面を示す図。
【発明を実施するための形態】
【００１０】
以下、本発明の一実施形態を図１乃至図１０を参照して説明する。
図１は、この発明の映像表示装置（映像受信装置）の一実施形態に係わる情報記録再生装置１００のブロック構成図である。
【００１１】
図１の情報記録再生装置１００では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。図１において、各ブロックを大きく分けると、中央及び上部の左側には記録部の主なブロックを示し，同右側には再生部の主なブロックを示している。
【００１２】
図１の情報記録再生装置１００は、ディスクドライブ部１００２と、ハードディスクドライブ部１００４の２種類のディスクドライブ部を有する。ディスクドライブ部１００２は、光ディスク１００１を回転駆動し、情報の読み書きを実行する。ディスクドライブ部１００２は、光ディスク１００１に対する回転制御系、レーザ駆動系、光学系などを有する。また、ハードディスクドライブ部１００４は、ハードディスクを駆動する。
【００１３】
データプロセッサ（Ｄ−ＰＲＯ）部１００３は、ディスクドライブ部１００２及びハードディスクドライブ部１００４に記録データを供給することができ、また、再生された信号を受け取ることができる。データプロセッサ部１００３は、記録または再生単位のデータを取り扱うもので、バッファ回路、変調・復調回路、エラー訂正部などを含む。
【００１４】
またこの情報記録再生装置１００は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００１５】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１６】
エンコーダ部５０からのエンコード出力は、バッファメモリ５２を含むフォーマッタ５１にて所定のＤＶＤのフォーマットに変換され、先のデータプロセッサ部１００３に供給される。
【００１７】
なおトランスポートストリームから抽出したパケットエレメンタリーストリームがエンコーダ部５０から直接ハードディスクドライブ部１００４のハードディスクに記録される場合もある。
【００１８】
エンコーダ部５０には、スイッチ５３を介して、ＡＶ入力部４１ａからの外部アナログビデオ信号と外部アナログオーディオ信号が入力することができる。またエンコーダ部５０には、地上波アナログチューナ４１ｂ、地上波デジタルチューナ４１ｃ、衛星ＢＳ／ＣＳチューナ４１ｄ，衛星アナログチューナ４１ｅからの受信信号が選択的に入力することができる。
【００１９】
また、エンコーダ部５０で複数のデコーダが活用される場合、地上波デジタルチューナ４１ｃで受信した番組がハードディスクドライブ部１００４で録画され、同時に、衛星ＢＳ／ＣＳチューナ４１ｄで受信した番組を視聴することも可能である。
【００２０】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオ（Ｖ）ミキシング部７１やオーディオセレクタ７６に直接供給することもできる。
【００２１】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。
【００２２】
デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２３】
副映像信号がＡＶ入力部４１ａから入力された場合（例えば副映像信号の独立出力端子付ＤＶＤビデオプレーヤからの信号など）、あるいはこのようなデータ構成のＤＶＤビデオ信号が放送されてそれがＴＶチューナ部４１ｂ〜４１ｅのいずれかで受信された場合は、ＤＶＤビデオ信号中の副映像信号が副映像エンコーダでエンコード（ランレングス符号化）されて副映像のビットマップとなる。
【００２４】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換される。フォーマッタ５１は、上記の変換処理のとき、バッファメモリ５２も利用する。
【００２５】
この情報記録再生装置１００では、フォーマッタ５１でフォーマット化された情報（ビデオ、オーディオ、副映像データなどのパック）及び作成された管理情報を、データプロセッサ部１００３を介してハードディスクドライブ部１００４あるいはデータディスクドライブ部１００２に供給し、ハードディスクあるいは光ディスク１００１に記録することができる。
【００２６】
またハードディスクあるいは光ディスク１００１に記録された情報を、データプロセッサ部１００３、ディスクドライブ部１００２を介して光ディスク１００１あるいはハードディスクに記録することもできる。
【００２７】
さらにハードディスクあるいは光ディスク１００１に記録されている複数番組のビデオオブジェクトを、一部削除する、異なる番組のオブジェクトとつなげる、といった編集処理を行なうこともできる。
【００２８】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００２９】
マイクロコンピュータブロック３０は、ネットワークインターフェース３２０を介して、外部ネットワークに接続することが可能である。これにより、外部のサーバー１０から後述のチャンネルリスト設定情報を取り込むことが可能となる。
【００３０】
さらにマイクロコンピュータブロック３０のＭＰＵは、ＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００３１】
またマイクロコンピュータブロック３０は、装置の各ブロックを統括して制御するために必要な情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。またマイクロコンピュータブロック３０は、録画を実行する際の管理情報の制御部と、編集を実行する際の管理情報の制御部をも備える。
【００３２】
さらに、マイクロコンピュータブロック３０には、  先に説明したように、ＥＰＧ情報処理部３０１、チャンネルリスト生成部３０２、契約情報記憶部３０３を有する。またこのような操作が行われるときのグラフィックユーザーインターフェースとして、表示制御部３１４を有する。また、録画予約情報に基づいて、チューナなどを制御する受信制御部３１１、番組を録画するために記録制御部３１２、記録番組を再生するために再生制御部３１３を有する。
【００３３】
さらに、後述するチャンネルのリスト表示を行なうための属性情報等を記憶するものとして、嗜好データベース３２１、ジャンルデータベース３２２、表示フォーマット記憶部３２３を有する。
【００３４】
ＭＰＵの実行結果のうち、ユーザーに通知すべき内容は、この情報記録再生装置１００の表示部８１に表示されるか、またはモニタ３００１にＯＳＤ（オンスクリーンディスプレイ）表示される。
【００３５】
またマイクロコンピュータブロック３０は、この装置を操作するための操作信号を与えるキー操作入力部８２を有する。このキー操作入力部８２は、例えば情報記録再生装置１００の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザーがこのキー操作入力部８２を操作することにより、入力された映像音声信号の録画処理や、録画されたコンテンツの再生処理、あるいは録画されたコンテンツに対する編集処理などを施すことができる。
【００３６】
なお、マイクロコンピュータブロック３０が、ディスクドライブ部１００２、ハードディスクドライブ部１００４、データプロセッサ部１００３、エンコーダ部５０及び／またはデコーダ部６０などを制御するタイミングは、ＳＴＣ（システムタイムクロック）３１からの時間データに基づいて実行することができる。録画や再生の動作は、通常はＳＴＣ３１からのタイムクロックに同期して実行されるが、それ以外の処理はＳＴＣ３１とは独立したタイミングで実行されてもよい。
【００３７】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。
【００３８】
またデコードされた主映像にデコードされた副映像を適宜合成し、主映像にメニュー、ハイライトボタン、字幕やその他の副映像を重ねて出力するビデオプロセッサを備えている。
【００３９】
デコーダ部６０の出力ビデオ信号は、ビデオミキシング部７１に入力される。ビデオミキシング部７１では、例えばテキストデータの合成が行われる。またビデオミキシング部７１には、各ＴＶチューナ４１ｂ〜４１ｅやＡＶ入力部４１aからの信号を直接取り込むラインもまた接続されている。
【００４０】
ビデオミキシング部７１には、バッファとして用いるフレームメモリ７２が接続されている。ビデオミキシング部７１の出力がアナログ出力の場合はＩ／Ｆ（インターフェース）７３を介して外部出力され、デジタル出力の場合はデジタルアナログ変換器７４を介して外部へ出力される。
【００４１】
デコーダ部６０の出力オーディオ信号は、セレクタ７６を介してデジタル／アナログ（Ｄ／Ａ）変換器７７でアナログ変換され外部に出力される。セレクタ７６は、マイクロコンピュータブロック３０からのセレクト信号により制御される。これによりセレクタ７６は、各ＴＶチューナ４１ｂ〜４１ｅやＡＶ入力部４１aからのデジタル信号を直接モニタする時、エンコーダ部５０をスルーした信号を直接選択することも可能である。
【００４２】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００４３】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行なわれる。
【００４４】
また本装置では、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行なっている。
【００４５】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部１００４に供給している。
【００４６】
またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行なわれているとき、エンコーダ部５０からマイクロコンピュータブロック３０のＭＰＵは、データ単位の情報（切り分け情報など）を受け取る。
【００４７】
また、マイクロコンピュータブロック３０のＭＰＵは、記録開始時には光ディスク１００１及びハードディスクから読み取った管理情報（ファイルシステム）を認識し、各ディスクの未記録エリアを認識し、データ上の記録エリアをデータプロセッサ部１００３から当該ディスクに設定している。
【００４８】
なお、後述の図４のようにユーザーにキーワードを登録、あるいはジャンルを入力された場合、ジャンルに対応した情報が随時マイクロコンピュータブロック３０の嗜好データベース３２１あるいはジャンルデータベース３２２に記憶されるものとする。
【００４９】
ところで一方図２は、後述のネットワークを中継する（情報）サーバー１０のハードウェアなどのシステム構成の一例を示すものである。
図２に示すように、このサーバー１０は、ＣＰＵ１１、ノースブリッジ１２、主メモリ１３、サウスブリッジ１４、ＢＩＯＳ−ＲＯＭ１５、磁気ディスク駆動装置（ＨＤＤ）１６、光磁気ディスク駆動装置（ＯＤＤ）１７、エンベデッドコントローラ／キーボードコントローラＩＣ（ＥＣ／ＫＢＣ）１８、ネットワークコントローラ１９等を備えている。
【００５０】
ＣＰＵ１１は、本サーバー１０の動作を制御するメインプロセッサである。このＣＰＵ１１は、ＨＤＤ１６から主メモリ１３にロードされる、オペレーティングシステム、各種アプリケーションプログラムおよびユーティリティプログラムを実行する。
【００５１】
ノースブリッジ１２は、ＣＰＵ１１のローカルバスとサウスブリッジ１４との間を接続するブリッジデバイスである。また、ノースブリッジ１２には、ＣＲＴディスプレイ２を制御する表示コントローラおよび主メモリ１３を制御するメモリコントローラも内蔵されている。
【００５２】
サウスブリッジ１４は、例えばＰＣＩ（peripheral component interconnect）バスやＬＰＣ（low pin count）バスに接続された各種Ｉ／Ｏデバイスを制御するためのＩ／Ｏコントローラとして機能する。また、このサウスブリッジ１４には、ＨＤＤ１６およびＯＤＤ１７を制御するＩＤＥ（Integrated Drive Electronics）も内蔵されている。ＢＩＯＳ−ＲＯＭ１５も、このサウスブリッジ１４によってアクセスが制御される。ＢＩＯＳ−ＲＯＭ１５は、システムＢＩＯＳを電気的に書き換え可能に格納するフラッシュＲＯＭである。
【００５３】
ＥＣ／ＫＢＣ１８は、電源管理のためのエンベデッドコントローラと、キーボード（ＫＢ）２３およびマウス２４などを制御するキーボードコントローラとが集積された１チップマイクロコンピュータである。ネットワークコントローラ１９は、ＬＡＮを介した他のコンピュータとのデータ通信を制御する。
【００５４】
さて以上のようなハードウェア構成例を基にして、図３のようなシステムを組むことができる。即ち図３は、一実施形態を示す機能ブロック構成図である。
図３は、映像表示装置（情報記録再生装置１００）が直接インターネットと接続されている場合の構成図である。情報記録再生装置１００はインターネット１を介してサーバー１０と接続される。サーバー１０内にある情報記録再生装置１００のメーカー等のチャンネルリスト設定情報提供者により提供されるチャンネルリストデータベースへ、インターネット１経由でアクセスする場合の構成を示している。
【００５５】
図３は実施例の装置（システム）を示す概略構成図であり、以下に詳述するように映像表示装置がホスト情報、検索キーワードをサーバー１０に登録し、サーバー１０が番組情報結果に基づいて、登録ホストに対して、制御情報を送信する。
【００５６】
図４は、映像表示装置からキーワード入力を行う画面を示す図である。即ちキーワード入力を行う事ができる画面であり、「キーワードを登録して下さい。」というプロンプト表示に対して、「徳川埋蔵金」と入力した状態を現す。
【００５７】
プロンプトは例えば表示部８１に表示され、キー操作入力部８２からユーザーはキーワード入力を行う事ができる。
図５は、サーバー１０（以下、キーワード検索サーバー１０）で管理されるホスト情報を説明するために示す図である。制御情報送付先のIPアドレスや、受信可能チャンネル情報、登録キーワード、現在視聴予定の番組情報等が管理される。このホスト情報は、ＨＤＤ１６に置かれ、ＣＰＵ１１が読み出して変更処理などを施すことができる。
【００５８】
キーワード検索サーバー１０からの各TVセット（ホスト）の同定は、TVセットの製造番号（製品シリアル番号）の情報や、TVセットがネットプロバイダによる固定IPアドレスオプションサービス（いつも同じIPアドレス即ち、固定IPアドレス・グローバルIPv4アドレスで接続できるようになるもの）を受けるなどにより、実現できる。図５ではまずホスト情報として（ホストIPアドレス）：１３３，１２２，ａａａ，ｂｂｂという値があると例示している。
【００５９】
次には（受信可能チャンネル情報）：ＡＢＣ，ＢＢＣ，ＣＢＣ，ＤＢＣ，ＴＶ１，ＴＶ２という情報がある。例えば、＊ＢＣというチャンネルセットとＴＶ＊というチャンネルセットがある場合を例示している（各＊はセット内のヴァリエーションである）。
【００６０】
（最終確認時刻（日））は、ホスト情報を得た最終確認日を表している。また（登録キーワード）は、図４のようにして登録した「徳川埋蔵金」とあと一つ「源義経」が登録されている。
【００６１】
次の視聴予定番組情報としてはこのホスト（ホスト１）に対しては、番組１の情報と番組２の情報とが保存されている（図示せぬチャンネル情報も含む）。これらの情報の運用方法については、次のフローチャート以下で説明する。
【００６２】
図６は、サーバー側でのＣＰＵ１１を主体とする検索・登録処理のフローチャートである。初回キーワード登録時(図６（ａ）初回キーワード登録フロー)は、TV側のIPアドレスや受信可能チャンネル情報をサーバーに登録する。それ以外の処理は図６（ｃ）キーワード更新フローと同一で、番組情報とキーワードの検索を実施し、マッチした番組の情報を各ホスト情報の視聴予定番組情報に追加、各番組の制御情報通知リストにホスト情報を追加する。また、各放送局の番組情報が更新された際(図６（ｂ）番組情報更新フロー)は、更新箇所について、各ホストのキーワード検索を実施し、視聴予定番組情報に追加、各番組の制御情報通知リストにホスト情報を追加する。
【００６３】
ステップＳ４１：  TVよりインターネット経由でホスト情報（TV側のIPアドレスや受信可能チャンネル情報など）を取得する。
ステップＳ４２：  データベースにこのホスト情報を登録する。
ステップＳ４３：  ホストの受信可能チャンネル情報毎に、それぞれのチャンネルの番組情報よりキーワードを検索する。マッチした番組情報をホスト情報と関連づける。（視聴予定番組情報に追加する）
【００６４】
ステップＳ４４：  各番組の制御情報通知リストに当該ホストを追加する。
ステップＳ４５：  各ホスト毎に番組情報の更新箇所についてキーワード検索を実施する。マッチした番組情報をホスト情報と関連づける。（視聴予定番組情報に追加する）
【００６５】
ステップＳ４６：  各番組の制御情報通知リストに当該ホストを追加する。
ステップＳ４７：  ホストの受信可能チャンネル情報毎に、それぞれのチャンネルの番組情報よりキーワードを検索する。マッチした番組情報をホスト情報と関連づける。（視聴予定番組情報に追加する）
【００６６】
ステップＳ４８：  各番組の制御情報通知リストに当該ホストを追加する。
図７は、実施形態に用いられるサーバー内のＣＰＵ１１を主体とする処理を説明するのに用いる番組表を示す図である。各番組には、その番組の内容を紹介する説明文が存在し、それらがキーワード検索の対象となる。
【００６７】
詳しくは図８に関して述べるが、チャンネルＡＢＣにおいて８／２２（日）のＰＭ１１時に始まる番組１乃至８／２３（月）のＡＭ３時に始まる番組４が処理対象に選ばれている。
【００６８】
図８は、各番組毎に、制御情報通知リスト、および、それらの情報を用いたＣＰＵ１１を主体としマイクロコンピュータブロック３０が追従するサーバー主導の処理の流れ図である。既定時刻の数分前に、登録されているホストに電源オン情報を送付する。電源オフ信号を送付する際には、送信前に登録ホスト情報の視聴予定番組情報を確認し、引き続きテレビの視聴があるかどうか確認し、引き続いての視聴がない場合のみ、電源オフ制御情報を送付する。
【００６９】
図８の例ではまず制御情報通知リストに基づき８／２２（日）のＰＭ１１時に始まり８／２３（月）のＡＭ０時に終わる番組１に関して、ホスト１乃至ホスト３に開始５分前に登録ホストとして電源オン並びにチャンネル切り替え制御情報を送付する。
【００７０】
また番組１の終了５分後には各ホストの視聴予定番組情報を確認し、登録ホストに電源オフ制御情報を送付する（ただしホスト１は、隣接番組があるので、電源オフ制御情報は送付しない。）。
【００７１】
次に制御情報通知リストに基づき８／２３（月）のＡＭ０時に始まり同日ＡＭ２時に終わる番組２に関して、ホスト１、ホスト５、ホスト９に開始５分前に登録ホストとして電源オン並びにチャンネル切り替え制御情報を送付する。対してホスト１は、電源オン並びにチャンネル切り替えが既に成されているので状態の変化は不要である。この５分という時間は数秒でも良いし零でもよい。またユーザーが時間長を設定できるように構成してもよい。
【００７２】
また番組２の終了５分後には各ホストの視聴予定番組情報を確認し、登録ホストに電源オフ制御情報を送付する（ただしホスト５、ホスト９は、隣接番組があるので、電源オフ制御情報は送付しない。）。
【００７３】
次に制御情報通知リストに基づき８／２３（月）のＡＭ２時に始まり同日ＡＭ３時に終わる番組３に関して、ホスト５、ホスト８、ホスト９に開始５分前に登録ホストとして電源オン並びにチャンネル切り替え制御情報を送付する。以下、同様であるので説明は省略する。サーバーは、放送波以外からも情報を取得し、キーワードマッチングの対象情報を増やすことを行なってもよい。
【００７４】
図９は、実施形態の映像表示装置の番組視聴処理のフローチャートである。図９（ａ）は図８のサーバー処理の流れ図に対応したホストの処理を表している。
ステップＳ２１：  マイクロコンピュータブロック３０（以下、制御部）はネットワークインターフェース３２０（以下、Ｉ／Ｆ）を介して、電源オン制御情報をサーバーから受信する。
【００７５】
ステップＳ２２：  ホスト（情報記録再生装置１００）が電源オフであれば電源をオンにする必要があるので次に進み、すでに電源オンであればステップＳ２４に進む。
【００７６】
ステップＳ２３：  ホストは電源をオンにする。
ステップＳ２４：  制御部はＩ／Ｆを介して、チャンネル切り替え制御情報をサーバーから受信する。
ステップＳ２５：  チャンネル切り替えの必要があれば次に進み、すでにこの制御情報のチャンネルであれば処理を終了する。
ステップＳ２６：  制御部は地上波デジタルチューナ４１ｃ、衛星ＢＳ／ＣＳチューナ４１などに、この制御情報のチャンネルへの選局切り替えを行わせ、処理を終了する。
【００７７】
図９（ｂ）はユーザーのキーワード入力に関したホストの処理を表している。
ステップＳ２７：  番組を表示している状態にある。チャンネルは、一つにはホストの電源オフ時のレジューム機能によりその時のチャンネルが再現されている。また他にはユーザーが選局動作をしたことにより所望のチャンネルとなっていることもある。
【００７８】
ステップＳ２８：  ユーザーは所望のキーワードに関してキー操作入力部８２を用いて、モニタ３００１の画面を見ながら図４のようにキーワード入力を行う。
ステップＳ２９：  このキーワードを制御部はＩ／Ｆを介して、サーバーへ送信する。通常はここで処理は終了であるが、このキーワードにより放映中の番組に関しチャンネル切り替えが必要となった場合は以下のステップに進む。例えば図７でＡＢＣチャンネルの番組２を放映している状態で番組６を放映するＢＢＣチャンネルに切り替える場合である。
【００７９】
ステップＳ３０：  制御部はＩ／Ｆを介して、チャンネル切り替え制御情報をサーバーから受信する。
ステップＳ３１：  チャンネル切り替えの必要があれば次に進み、すでにこの制御情報のチャンネルであれば処理を終了する。
ステップＳ３２：  制御部はモニタ３００１の画面に図１０のようなポップアップ表示を行わせ、ユーザーにキー操作入力部８２を用いてチャンネル切り替えを選択させる。番組６は1時１０分に始まるので、例えばチャンネル切り替えのスタート位置が１時５分なら図１０（ａ）のようにまた1時１５分なら更に「番組途中ですが、」というメッセージが付加された図１０（ｂ）のようなポップアップ表示を行わせればよい。チャンネル切り替えを選択した場合は次に進み、チャンネル切り替えを選択しなかった場合は処理を終了する。なおポップアップ表示は一定の時間後に消えるように設定してもよい。またその時は自動的にチャンネル切り替えを選択するか否かを、予めユーザーが設定できるように構成してもよい。このときなどはポップアップ表示を出さなくともよい。
【００８０】
ステップＳ３３：  制御部は地上波デジタルチューナ４１ｃ、衛星ＢＳ／ＣＳチューナ４１などに、この制御情報のチャンネルへの選局切り替えを行わせ、処理を終了する。
【００８１】
（他の実施例／変形例）
図３の一実施形態の装置（システム）を示す概略構成図について、ホスト情報の送出、制御情報の受信は、他ホストによるなりすまし、等を防止するため、セキュアな技術を用いて行われることが望ましい(例えば、あるTVのキーワードを勝手に登録される事がない様に、必ずその当該TVからホスト情報、キーワードが登録される様にする。また、TVが制御情報を受け付けるのは、検索サーバーからの制御情報からのみ、であることを保証する様にする。) 。
【００８２】
図４の映像表示装置からキーワード入力を行う画面について、人気の検索キーワード等を検索サーバーから情報を取得して、表示、簡易入力を促す様にしてもよい。また、特に記載されていないが、複数キーワードの登録をさせて良い。また、複数登録された場合は、優先度をつけさせても良い。その他、キーワード間のAND条件、OR条件等を設定させても良い。
【００８３】
図８の各番組毎に、制御情報通知リスト、および、それらの情報を用いたサーバー処理の流れについて、電源オフ信号を受けた際は、ユーザーに「間もなく電源をオフします。引き続き視聴する場合は、OKボタンを押してください。」等の表示を出し、電源オフを回避する手段を設けても良い。また例えば次の番組が５分以内に始まるときは隣接番組とみなして電源オフせず「次の番組がすぐに始まるので電源をオフしないで、視聴できる状態とします。」等の表示を出してもよい。
【００８４】
他に、視聴予定番組情報内の番組の放送時間が重なっていた場合には次のような構成方法を取りうる。
（１）ユーザーにどちらの番組を視聴するか、選択させても良い。
ユーザーインターフェースとしては、例えば画面に複数の番組をリスト表示し、リモートコントローラなどによりユーザーに選択させればよい。
（２）キーワードの優先度により、視聴番組を決定し、コマンドを送付しても良い。
（３）重複している場合は、「ABCでキーワード”徳川埋蔵金”を放送中です。」という様に、現在視聴していない局の番組情報を知らせる情報を表示させても良い。
【００８５】
なおサーバーは放送波以外から番組情報を得られるように構成するのも好適である。放送波からの番組情報は例えば１週間先までのかつコンパクトなものしかないが、各放送局にはずっと先のあるいは多くの脇役等を含むより充実した番組情報が有る期待できる。ウェブ等の検索範囲をより広げれば、売り出し中の芸能人などが参加する番組情報も得られる可能性が高い。
【００８６】
先行技術と比べた実施形態の効果として、サーバー側に検索を行わせるため、映像受信装置自体のソフトウェア構造を簡略化できる。また、電源オンを映像受信装置に依存していないため、長期間、テレビが電源オフ状態(テレビを起動していない)状態で即ち番組情報(EPG)の取得を暫く休止していても、視聴者の希望する番組の時間になったら、正しくテレビをオンする。場合により、番組情報を不要とすることもできる。
【００８７】
本実施形態により、ユーザーがテレビを操作することなく、ユーザーが希望する番組の放映前に電源オンし、選局を実施し、番組終了後自動的に電源オフさせる事ができる。
【００８８】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００８９】
１１…サーバー、２０…ネットワーク、３０…マイクロコンピュータブロック、８１…表示部、８２…キー操作入力部、９０…アンテナ部、１００…情報記録再生装置、３０１…ＥＰＧ情報処理部、３０２…チャンネルリスト生成部、３０３…契約情報記憶部、３０６…録画予約処理部、３２０…ネットワークインターフェース（Ｉ／Ｆ）、４００…受信部、５００…記録処理部、６００…再生処理部、７００…出力部、１０００…記録メディア部、３００１…モニタ。
【図１】
2014150394.tif 000003
【図２】
2014150394.tif 000004
【図３】
2014150394.tif 000005
【図４】
2014150394.tif 000006
【図５】
2014150394.tif 000007
【図６】
2014150394.tif 000008
【図７】
2014150394.tif 000009
【図８】
2014150394.tif 000010
【図９】
2014150394.tif 000011
【図１０】
2014150394.tif 000012